(57)【要約】【課題】搬入されてきたカードを搬入順に重ねて収納するための構成簡易なカード収納装置を得る。【解決手段】磁気リードライトユニット３からカード２が搬入されるときは、カード収納部１０のカード載置面１１がカード２の搬入方向に対して傾斜するとともに斜め上方を向く。カード収納部１０に向けて搬送されてきたカード２は、カード挿通路４から自由落下してカード載置面１１または他のカード２に当接した後、滑るようにカード収納部内に収納される。カード収納部１０からカード２を搬出するときには、カード載置面１１がカード２の搬入方向に対して略平行となり、カード２は搬出用回転部材３０によって、曲げられることなく磁気リードライトユニット３に向けて搬出される。【選択図】          図１
2004272777.tif 000002
【特許請求の範囲】
【請求項１】
搬入されてきたカードを、カード収納部のカード載置面上に重ねて収納するとともに、前記カード収納部に収納した前記カードを搬出可能なカード収納装置であって、
前記カードを収納する状態では、前記カード収納部の前記カード載置面を前記カードの搬入方向に対して傾斜させるとともに斜め上方を向くように配置したことを特徴とするカード収納装置。
【請求項２】
前記搬入方向が略鉛直な方向であり、前記カード収納部に向けて搬入されてきた前記カードを自由落下させて、該カード収納部内に収納するように構成したことを特徴とする請求項１記載のカード収納装置。
【請求項３】
前記カード収納部から前記カードを搬出する状態では、前記カード載置面が前記搬入方向に対して略平行となるように、前記カード収納部の傾き姿勢を変化させる傾動手段を備えていることを特徴とする請求項１または２記載のカード収納装置。
【請求項４】
前記カード載置面に臨むように配置され、前記カード収納部内の前記カードのうち最先に収納されたカードと接触しながら回転駆動して、該カードを前記カード収納部から搬出させる搬出用回転部材を有していることを特徴とする請求項１〜３のいずれかに記載のカード収納装置。
【請求項５】
前記カード収納部から搬出される前記カードを前記搬出用回転部材と共に挟圧しながら、前記搬出用回転部材の回転の向きと同じ向きに回転駆動する挟圧回転部材を備えていることを特徴とする請求項４記載のカード収納装置。
【請求項６】
前記カード載置面を挟んで前記搬出用回転部材と対向し、前記カード載置面が前記搬入方向に対して略平行となるときは、該カード収納部に収納された前記カードを前記搬出用回転部材に向けて押圧し、前記カード収納部が前記搬入方向に対して傾斜したときは、前記カードから離れるカード押圧部材を備えていることを特徴とする請求項４または５記載のカード収納装置。
【請求項７】
１つの駆動源による駆動力を、前記傾動手段と前記搬出用回転部材とに伝達する駆動力伝達機構を備えていることを特徴とする請求項４〜６のいずれかに記載のカード収納装置。
【発明の詳細な説明】
【０００１】
【発明の属する技術分野】
本発明は、磁気記録媒体等として利用されるカードを収納するカード収納装置に関し、特に収納したカードを搬出可能なカード収納装置に関するものである。
【０００２】
【従来の技術】
従来、カード収納装置は種々の分野で利用されている。例えば、パチンコ機の台間に設置される球貸装置において、使用済みのプリペイド式カードを回収して収納するカード収納装置を備えているものが知られている（下記特許文献１参照）。
【０００３】
これまで、使用済みのカードは廃棄処分されることが一般的であったが、近年の資源有効利用の流れに応じるように、カードの再利用化が図られている。カードを再利用する場合、回収した使用済みカードを回収した順に、すなわち先に回収したカードほど先に再利用できるようにすることが好ましい。近年、回収した使用済みカードを順次重ねて収納し、カードを再利用する際には、先に収納したカードから順次搬出できるように構成された先入れ先出し式のカード収納装置も知られている。
【０００４】
【特許文献１】
特開２００２−１４３５３９号公報
【０００５】
【発明が解決しようとする課題】
しかし、これまでのカード収納装置では、搬入されてきたカードをカード収納部まで送り込む機構や、カード収納部まで送り込んだカードを送り込まれてきた順に、きちんと重ねて収納しておくための機構が複雑であった。
【０００６】
また、カード収納装置においては、カードを搬入、搬出するためのカード搬送路が基本的に１つであることが好ましい。しかし、これまでのカード収納装置では、先に収納されたカードから先に搬出できるようにするため、カード搬送路をカード収納部の近傍位置でカード搬入路とカード搬出路とに分離するとともに、分離させた部分でカード搬送路を屈曲させるように形成していた。このため、カード搬送路に沿って移動するカードが、カード搬送路の屈曲した部分でカード搬送路に沿って屈曲するという問題がある。近年、様々な機能のカードが開発されており、これらのカードの中には、ＩＣチップ付のものなどカードを屈曲させることが好ましくないものもある。そこで、カードを屈曲させることなく搬入、収納、搬出することができるカード収納装置が望まれている。
【０００７】
本発明は上記事情に鑑みなされたもので、その第１の目的は、搬入されてきたカードを搬入されてきた順に重ねて収納するための構成が簡易なカード収納装置を提供することにある。
【０００８】
また、本発明の第２の目的は、カード収納部に重ねて収納されたカードを収納された順に搬出することができ、しかもカードの搬入、搬出の際にカードを屈曲させることのないカード収納装置を提供することにある。
【０００９】
【課題を解決するための手段】
本発明のカード収納装置は、上記課題を解決するため、以下の特徴点を備えている。なお、本発明のカード収納装置の各構成要素について、図面に付した符号を参照して、具体的な適用例を示すが、各構成要素はこれらに限定されるものではない。
【００１０】
すなわち、本発明のカード収納装置（１）は、搬入されてきたカード（２）を、カード収納部（１０）のカード載置面（１１）上に重ねて収納するとともに、前記カード収納部（１０）に収納した前記カード（２）を搬出可能なカード収納装置であって、前記カード（２）を収納する状態では前記カード収納部（１０）の前記カード載置面（１１）を前記カード（２）の搬入方向に対して傾斜させるとともに斜め上方を向くように配置したことを特徴とするものである。
【００１１】
このような本発明のカード収納装置（１）においては、カード（２）を収納する状態ではカード収納部（１０）のカード載置面（１１）が、カード（２）の搬入方向に対して傾斜するとともに斜め上方を向いているので、カード収納部（１０）に向けて搬送されてきた各々のカード（２）は、その自重によりカード載置面（１１）上に順次重なっていく。
【００１２】
本発明のカード収納装置（１）において、前記搬入方向が略鉛直な方向であり、前記カード収納部（１０）に向けて搬入されてきた前記カード（２）を自由落下させて、該カード収納部（１０）内に収納するように構成することができる。
【００１３】
この構成においては、カード収納部（１０）に向けて搬入されてきたカード（２）が、自由落下してカード収納部（１０）内に収納される。
【００１４】
また、前記カード収納部（１０）から前記カード（２）を搬出する状態では、前記カード載置面（１１）が前記搬入方向に対して略平行となるように、前記カード収納部（１０）の傾き姿勢を変化させる傾動手段（カム７０）を備えている構成とすることもできる。
【００１５】
この構成においては、カード収納部（１０）からカード（２）を搬出するときに、傾動手段（カム７０）がカード収納部（１０）の傾き姿勢を変化させ、カード載置面（１１）がカードの搬入方向に対して略平行となるようにする。カード載置面（１１）がカードの搬入方向に対して略平行となるので、カード（２）は屈曲することなく搬出される。
【００１６】
また、前記カード載置面（１１）に臨むように配置され、前記カード収納部（１０）内の前記カード（２）のうち最先に収納されたカード（２）と接触しながら回転駆動して、該カード（２）を前記カード収納部（１０）から搬出させる搬出用回転部材（３０）を有している構成とすることもできる。
【００１７】
この構成においては、搬出用回転部材（３０）が回転駆動することにより、カード収納部（１０）に最先に収納されていたカード（２）がカード収納部（１０）から搬出される。
【００１８】
また、前記カード収納部（１０）から搬出される前記カード（２）を前記搬出用回転部材（３０）と共に挟圧しながら、前記搬出用回転部材（３０）の回転の向きと同じ向きに回転駆動する挟圧回転部材（ローラ８６）を備えている構成とすることもできる。
【００１９】
この構成においては、挟圧回転部材（ローラ８６）が、カード収納部から搬出されるカード（２）を搬出用回転部材（３０）と共に挟圧しつつ、搬出用回転部材（３０）の回転の向きと同じ向きに回転することにより、複数枚のカード（２）が同時に搬出されることを防止する。
【００２０】
また、前記カード載置面（１１）を挟んで前記搬出用回転部材（３０）と対向し、前記カード載置面（１１）が前記搬入方向に対して略平行となるときは、該カード収納部（１０）に収納された前記カード（２）を前記搬出用回転部材（３０）に向けて押圧し、前記カード収納部（１０）が前記搬入方向に対して傾斜したときは、前記カード（２）から離れるカード押圧部材（ローラ６４）を備えている構成とすることもできる。
【００２１】
この構成においては、カード押圧部材（ローラ６４）が、カード載置面（１１）がカード（２）の搬入方向に対して略平行となるときは、カード収納部（１０）に収納されているカード（２）を搬出用回転部材（３０）に向けて押圧し、カード収納部（１０）が搬入方向に対して傾斜したときは、カード（２）から離れて押圧を解除する。
【００２２】
また、１つの駆動源（電動モータ４０）による駆動力を、前記傾動手段（カム７０）と前記搬出用回転部材（３０）とに伝達する駆動力伝達機構（ウォーム４２、ウォームホイール３８、軸３７、歯車列５０、ワンウェイクラッチ５５、軸６１）を備えている構成とすることもできる。
【００２３】
この構成においては、１つの駆動源（電動モータ４０）による駆動力が駆動力伝達機構（ウォーム４２、ウォームホイール３８、軸３７、歯車列５０、ワンウェイクラッチ５５、軸６１）により、傾動手段（カム７０）と搬出用回転部材（３０）とに伝達され、傾動手段（カム７０）によりカード収納部（１０）の傾き姿勢が変化するとともに、搬出用回転部材（３０）によりカード収納部（１０）に最初に収納されていたカード（２）がカード収納部（１０）から搬出される。
【００２４】
【発明の実施の形態】
以下、本発明の実施形態について図面を参照しながら説明する。なお、以下の説明では、パチンコ機の台間に配置される球貸装置内において、本発明を適用した例について説明を行なう。
【００２５】
＜球貸装置の概略構成＞
まず、本発明の一実施形態に係る球貸装置の全体構成を、図６を用いて説明する。図６は、本発明の一実施形態に係る球貸装置の外観斜視図である。図６に示す球貸装置１００は、遊技場等においてパチンコ機の台間に配置されるもので、筐体１０１の正面上部に紙幣挿入口１０２を、その下部にカード挿入口１０３を備えている。
【００２６】
＜カード収納装置の構成＞
次に、図１〜図５を用いて、本発明の一実施形態に係るカード収納装置について説明する。図１〜図５は、本発明の一実施形態に係るカード収納装置の構成を示す図で、図１は、カード収納装置のカード挿入時の状態を示す図、図２は、カード搬出時の状態を示す図である。また、図３は、カード収納装置を図２の矢線Ａの向きに見た図で、図４は、カード収納装置を図２の矢線Ｂの向きに見た拡大図である。また、図５は、カード収納装置の歯車列の配置関係を示す図で、２つの歯車列を図４における矢線Ｃの向きに見た状態を示している。なお、図１、図２においてはカード収納装置の一部を破断して示している。
【００２７】
図示したカード収納装置１は、前述した球貸装置１００の筐体１０１内の下部に配置されており、その上部には、プリペイド式のカード２への磁気記録の書き込み、および磁気記録の読み取りを行なう磁気リードライトユニット３が配置されている。また、カード収納装置１と磁気リードライトユニット３との間には、カード挿通路４を形成する中継部材５が設置されている。
【００２８】
磁気リードライトユニット３は、上記カード挿入口１０３から挿入されたカード２に対して、磁気記録の読み取りおよび磁気記録の書き換え処理を行ない、処理後のカード２をカード挿入口１０３から排出するとともに、カード２の使用可能度数がゼロとなり、すぐに再書き込み処理が行なわれない使用済みのカード２を、中継部材５のカード挿通路４を介してカード収納装置１に向けて搬送するように構成されている。
【００２９】
カード収納装置１は、磁気リードライトユニット３から中継部材５を介して、鉛直方向下向きに搬入されてきたカード２を収納するカード収納部１０と、このカード収納部１０を傾動可能に支持する支持基部２０を備えている。カード収納部１０は、カード２が載置されるカード載置面１１（図１、図２参照）を構成する背面部１２と、この背面部１２と共にカード２の収納スペースを形成する前面部１３および左右の側面部１４，１４（図１、図２では一方の側面部１４のみ示す）を備えている。一方、支持基部２０は、上記筐体１０１に固定される底面部２１と、この底面部２１の左右両端から立ち上がる左右の側壁部２２，２２（図１、図２では一方の側面部２２のみ示す）と、底面部２１の鉛直方向下端から立ち上がる後壁部２３とを備えている。
【００３０】
上記カード収納部１０の背面部１２に形成された上記開口部１５には、上記カード載置面１１を臨むように配置された、３つのローラ３１，３２，３３およびこれら３つのローラ３１，３２，３３に架けられたベルト３４からなる搬出用回転部材３０が設けられている。ローラ３１，３２は、カード収納部１０の上記左右の側面部１４，１４間に回転自在に設けられた軸３５，３６にそれぞれ取り付けられており、これらの軸３５，３６と共に回転するようになっている。一方、ローラ３３は、カード収納部１０の左右の側面部１４，１４を貫通して、上記支持基部２０の上記左右の側壁部２２，２２間に回転自在に設けられた軸３７に取り付けられており、この軸３７と共に回転するようになっている。また、上記ベルト３４は、３つのローラ３１，３２，３３に架けられた状態で所定の張力を維持できるようになっており、これら３つのローラ３１，３２，３３と共に、上記カード載置面１１に沿って回転するようになっている。
【００３１】
また、カード収納部１０は、その傾き姿勢を変化させることができるように構成されている。すなわち、カード収納部１０は、上記軸３７を介して上記支持基部２０に傾動可能に支持されており、上記カード載置面１１がカード２の搬入方向（鉛直方向）に対して傾斜するとともに斜め上方を向く第１の傾き姿勢（図１参照）と、カード載置面１１がカード２の搬入方向に対して略平行となるとともに上記カード挿通路４が形成する平面と略同一の平面上に位置する第２の傾き姿勢（図２参照）との間を傾動可能に構成されている。なお、カード収納部１０は、図示せぬ付勢手段により、上記第２の傾き姿勢をとる向きに常時付勢されている。
【００３２】
図４において上記軸３７の右端部には、ウォームホイール３８が取り付けられている。このウォームホイール３８は、カード収納装置１の近傍に設置される駆動源としての電動モータ４０の回転軸４１の先端に設けられたウォーム４２と噛合し、電動モータ４０の駆動力を軸３７に伝達するようになっている。軸３７に伝達された駆動力は、上記搬出用回転部材３０に伝達されるとともに、図４において支持基部２０の左側の側壁部２２に配設された歯車列５０を介して軸６１に伝達される。この軸６１は、支持基部２０の左右の側壁部２２，２２間に回転自在に設けられており、その中央部には、上記カード収納部１０の傾き姿勢を変化させる傾動手段としてのカム７０が取り付けられている。
【００３３】
このカム７０は、図２に示すように、曲面部７１と平面部７２とを有しており、軸６１と共に回転する際に、曲面部７１によりカード収納部１０の背面部１２下端を押圧してカード収納部１０を傾動させるとともに、平面部７２が背面部１２と当接した状態でカード収納部１０を、図１に示す第１の傾き姿勢に保持するようになっている。また、カム７０は、所定の回転角度範囲では、カード収納部１０の押圧を解除するように構成されており、カム７０からの押圧を解除されたカード収納部１０は、図示せぬ付勢手段により図２に示す第２の傾き姿勢に移動されるようになっている。
【００３４】
上記歯車列５０は、図４において、軸３７の左端部に取り付けられた歯車５１と、軸６１の左端部に取り付けられた歯車５２と、これら２つの歯車５１，５２間に配置された歯車５３とからなる。歯車５３は、歯車５１と噛合する大径部５３ａと歯車５２と噛合する小径部５３ｂとが同軸に配されてなり、支持基部２０の側壁部２２に固定された軸５４に回転自在に支持されている。また、歯車５２と軸６１には、ワンウェイクラッチ５５が設けられている。このワンウェイクラッチ５５は、歯車５２が図５において反時計回りに回転する場合には、歯車５２に伝達された駆動力をそのまま軸６１に伝達する一方、歯車５２が図５において時計回りに回転する場合には、歯車５２に伝達された駆動力を軸６１に伝達しないように構成されている。
【００３５】
したがって、電動モータ４０の駆動力は、軸３７、歯車列５０および軸６１を介して、カム７０に伝達されるが、電動モータ４０が、歯車５２を図５において反時計回りに回転させる向きに回転する場合には、電動モータ４０の駆動力がカム７０まで伝達されカード収納部１０の傾き姿勢が変化する一方、電動モータ４０が、これとは反対の方向に回転した場合には、電動モータ４０の駆動力はカム７０まで伝達されずカード収納部１０の傾き姿勢は変化しないようになっている。
【００３６】
なお、カード収納装置１では、カード収納部１０の傾き姿勢を検知するセンサおよびこのセンサにより検知された傾き姿勢の情報に基づき、電動モータ４０の駆動を制御するコントローラ（いずれも不図示）が設けられており、このコントローラの制御によって、カード収納部１０の傾動や搬出用回転部材３０等の駆動が行なわれるようになっている。
【００３７】
また、図４において、軸３７を介して搬出用回転部材３０に伝達された電動モータ４０の駆動力は、軸３５を介して、カード収納部１０の左側面部１４に配設された歯車列８０に伝達されるようになっている。図５に示すように、歯車列８０は、上記軸３５の一端に設けられた歯車８１と、この歯車８１に噛合する歯車８２と、この歯車８２に噛合する歯車８３とからなる。歯車８２は、カード収納部１０の側面部１４に固定された軸８４の一端部に回転自在に取り付けられており、歯車８３は、カード収納部１０の背面部１２を挟んで上記軸３５と対向するように設けられた軸８５の一端部に取り付けられている。この軸８５は、図３に示すように、カード収納部１０の左右の側面部１４，１４間に回転自在に設けられており、その中央部には、ローラ８６が軸８５と共に回転するように設けられている。なお、上記ベルト３４とカード２との間の摩擦係数は、上記ローラ８６とカード２との間の摩擦係数よりも大となるように構成されており、また、ベルト３４とローラ８６との間には、カード２の厚みよりも若干小さな隙間が形成されるようになっている。
【００３８】
このローラ８６は挟圧回転部材を構成するもので、図２に示すように、カード収納部１０の背面部１２に形成された開口部１５に臨む、上記搬出用回転部材３０のベルト３４およびローラ３１と対向し、搬出用回転部材３０によりカード収納部１０から搬出されるカード２を搬出用回転部材３０と共に挟圧するようになっている。また、ローラ８６は、歯車列８０の作用により、搬出用回転部材３０の回転の向きと同じ向きに回転する。このため、搬出用回転部材３０の回転によりベルト３４と接触しながらカード収納部１０から搬出されるカード２の他に、このカード２との間に作用する静電気等によりこのカード２と共に他のカード２が移動した場合でも、ローラ８６が搬出用回転部材３０と同じ向きに回転しながら、この他のカード２と接触することによって、この他のカード２が搬出されることが防止されるようになっている。
【００３９】
また、図４に示すように、上記軸３７の近傍には軸６２（図４では一部を破断して示している）が設けられている。この軸６２は、支持基部２０の左右の側壁部２２，２２間に回転自在に支持されており、その各端部には揺動アーム６３，６３がそれぞれ設けられている。この一対の揺動アーム６３，６３は、図１、図２に示すように、軸６２を揺動中心として揺動するようになっており、その一端部間には軸６４が設けられている。この軸６４の中央部には、この軸６４に回転自在に支持されたカード押圧部材としてのローラ６５が設けられている。また揺動アーム６３，６３の各他端部には、揺動アーム６３を図１、図２において反時計回りに付勢する付勢バネ６６（図４では図示略）がそれぞれ設けられている。
【００４０】
この揺動アーム６３は、この付勢バネ６６と、カード収納部１０を傾動させるカム７０を支持する軸６１の両端部にそれぞれ取り付けられたカム６７との作用によって揺動するようになっている。すなわち、カード収納部１０が図２に示す第２の傾き姿勢にあるときには、カム６７は揺動アーム６３と当接せず、このとき揺動アーム６３は付勢バネ６６の付勢力によって、図２において反時計回りに揺動し、この揺動によりローラ６５がカード収納部１０内のカード２をカード載置面１１に向け、上記搬出用回転部材３０のベルト３４に対して押圧する。一方、カード収納部１０が図１に示す第１の傾き姿勢にあるときには、カム６７は揺動アーム６３と当接し、揺動アーム６３を付勢バネ６６に抗して図１において時計回りに揺動し、この揺動によりローラ６５がカード２の落下経路の位置から退避するとともに、ローラ６５によるカード２への押圧が解除されるようになっている。
【００４１】
＜カード収納装置の作用＞
以上のように構成された本実施形態のカード収納装置１では、図４に示すように、１つの電動モータ４０の駆動力が、ウォーム４２、ウォームホイール３８、および軸３７を介して搬出用回転部材３０に伝達されるとともに、さらに、歯車列５０、ワンウェイクラッチ５５、および軸６１を介して、傾動手段としてのカム７０に伝達される。このように本実施形態では、これらウォーム４２、ウォームホイール３８、軸３７、歯車列５０、ワンウェイクラッチ５５、および軸６１により、駆動力伝達機構が構成されている。そして、この駆動力伝達機構を介して各部に伝達された駆動力によって、カード収納装置１が作動するようになっている。
【００４２】
すなわち、図１に示すように、磁気リードライトユニット３から使用済みのカード２が搬送される場合には、上記駆動力伝達機構を介して伝達される電動モータ４０の駆動力により、カム７０が図中時計回りに回転し、カード収納部１０を傾動させて第１の傾き姿勢に保持する。カード収納部１０が、この第１の傾き姿勢をとるとき、カード載置面１１は、カード２の搬入方向に対して傾斜するとともに、斜め上方を向く。さらに、カード載置面１１は、中継部材５のカード挿通路４の延長線上下方に位置する。磁気リードライトユニット３から中継部材５に搬送されたカード２は、中継部材５を介して鉛直方向に自由落下し、カード収納部１０内に他のカード２が収納されていない場合には、カード載置面１１に当接した後、カード載置面１１に沿って滑落するようにカード収納部１０内に収納される。カード収納部１０内に他のカード２が収納されている場合には、最上部のカード２に当接した後、このカード２に沿って滑落し、他のカード２の上に重なるようにカード収納部１０内に収納される。すなわち、カード２は、搬入されてきた順に重ねられていく。
【００４３】
使用済みカード２を再利用するため、カード収納部１０内に収納されたカード２を磁気リードライトユニット３に向けて搬出する場合には、図２に示すように、上記駆動力伝達機構を介して伝達される電動モータ４０の駆動力により、カム７０が再び図中時計回りに回転し、カード収納部１０の押圧を解除する。カム７０による押圧を解除されたカード収納部１０は、図示せぬ付勢手段の付勢力によって、傾動して第２の傾き姿勢に保持される。カード収納部１０が、この第２の傾き姿勢をとるとき、カード載置面１１は、カード２の搬入方向に対して略平行になるとともに、カード挿通路４の形成する平面と略同一の平面上に位置する。また、このとき、カム６７による揺動アーム６３の押圧も解除され、揺動アーム６３は付勢バネ６６の付勢力によって図中反時計回りに揺動し、この揺動によりローラ６５がカード収納部１０内のカード２をカード載置面１１に向け、上記搬出用回転部材３０のベルト３４に対して押圧する。
【００４４】
次に、上記電動モータ４０がこれまでとは逆向きに回転し、その駆動力により、搬出用回転部材３０が図中反時計回りに回転する。この搬出用回転部材３０の回転により、ローラ８６が図中反時計回りに回転する。また、搬出用回転部材３０のベルト３４と接触している、カード収納部１０内のカード２のうち最先に収納されたカード２が、ローラ６５によってベルト３４に向けて押圧された状態でベルト３４に沿って鉛直方向上向きに移動し、さらに搬出用回転部材３０とローラ８６との間、中継部材５のカード挿通路４を通って、磁気リードライトユニット３内に搬出される。また、このときベルト３４と接触しながらカード収納部１０から搬出されるカード２の他に、このカード２との間に作用する静電気等によりこのカード２と密着して他のカード２が移動した場合には、ローラ８６が搬出用回転部材３０と同じ向きに回転してこの他のカード２と接触し、この他のカード２をカード収納部１０内に落下させる。
【００４５】
以上のように、本実施形態のカード収納装置１では、搬入されてきたカード２をカード収納部１０内に順次重ねて収納し、カード搬出時には、先に収納されたカード２から順に搬出し得る、先入れ先出し方式となっている。このため、収納された各カードの収納期間が平均化される。
【００４６】
また、カード２が収納されるときは、カード収納部１０のカード載置面１１がカード搬入方向に対して傾斜した状態となり、カード２は自由落下した後、カード載置面１１に沿って順次重ねて収納される。このため、カード２をカード挿通路４からカード収納部１０まで搬送するための部材や、カード２をカード収納部１０内において重ねて保持するための部材が不要となって構成が簡易化されている。
【００４７】
また、上記カード収納装置１では、カード２を搬出するために３つのローラ３１，３２，３３とベルト１４を用いて、電動モータ４０の駆動力を３箇所に伝達するようにしている。このため、カード２を安定して搬出させることが可能となっている。さらに、カード２を搬出するときは、ローラ６５が収納部１０内に収納されているカード２を搬出用回転部材３０に向けて押圧するようになっているので、カード２をより安定して保持しながら搬出することが可能となっている。このローラ６５は、カード搬入時にはカード２の落下経路の位置から退避するようになっているので、カード２の搬入が阻害されることはない。
【００４８】
また、上記カード収納装置１では、カード収納部１０の傾き姿勢を変える動作およびカード２を搬出させる動作を、１つの電動モータ４０の駆動力で行なうようになっている。このため、駆動源を複数設ける場合に比べ製造コストを抑えることが可能となっている。
【００４９】
また、上記カード収納装置１では、カード排出時に、カード載置面１１がカード搬入方向と略平行となり、かつカード挿通路４が形成する平面と略同一の平面上に位置するようになっている。このため、カード２の搬出路が直線状に形成され、これによりカード２は屈曲することなく搬出されるようになっている。したがって、ＩＣチップ付きのカードなど、屈曲させることが好ましくないカードに対しても適用することが可能となっている。
【００５０】
以上、本発明の一実施形態について説明したが、本発明は、上記実施形態に限られず、種々の態様変更を行なうことが可能である。例えば、上記実施形態では、カード収納部の傾き姿勢を、基本的にカード搬入時とカード搬出時とで変化させるようにしているが、カードが収納部内において支えてしまいカードの搬出を良好に行なえない場合や、保守点検時などにカード収納部の傾き姿勢を連続的に変化させて、カードの姿勢を整えることができるようにすることも可能である。
【００５１】
また、上記実施形態では、カードの搬入、搬出方向が鉛直方向であるが、カードの搬入、搬出方向を水平方向としたり、斜め方向としたりすることも可能である。
【００５２】
また、上記実施形態は、パチンコ機の球貸装置内に設置されるカード収納装置に本発明を適用したものであるが、本発明は、カードをリサイクルして使用する必要のある種々のカードの収納装置に対して適用することが可能である。
【００５３】
【発明の効果】
以上説明したように、本発明に係るカード収納装置は、搬入されてきたカードを、カード収納部のカード載置面上に重ねて収納するとともに、カード収納部に収納したカードを搬出可能であって、カードを収納する状態ではカード収納部のカード載置面をカードの搬入方向に対して傾斜させるとともに斜め上方を向くように配置している。
【００５４】
このような構成により、カード収納部に向けて搬送されてきた各々のカードは、その自重によりカード載置面上に順次重なっていくので、カードをカード収納部内において重ねて保持するための部材が不要となり、装置構成を簡略化することができる。
【００５５】
また、本発明のカード収納装置において、カードの搬入方向が略鉛直な方向であり、カード収納部に向けて搬入されてきたカードを自由落下させて、カード収納部内に収納するように構成したものでは、カード収納部に向けて搬入されてきたカードが、自由落下して、カード載置面または他のカードに当接した後、滑るようにカード収納部内に収納される。このため、カードをカード収納部まで搬送するための部材が不要となり、装置構成をより簡略化することができる。
【００５６】
また、カード収納部からカードを搬出する状態では、カード載置面がカードの搬入方向に対して略平行となるように、カード収納部の傾き姿勢を変化させる傾動手段を備えた構成のものにおいては、カード収納部からカードを搬出するときには、カード載置面がカードの搬入方向に対して略平行となるので、カードを曲げずに搬出することが容易となる。したがって、ＩＣチップ付のカードなど曲げることが好ましくないカード等についても、その搬入、搬出が可能となる。
【００５７】
また、カード載置面に臨むように配置され、カード収納部に最初に収納されたカードと接触しながら回転駆動して、このカードをカード収納部から搬出させる搬出用回転部材を有している構成としたものにおいては、カード収納部に収納されていたカードを収納された順に搬出する、先入れ先だし方式をとることができる。このため、収納されたカードの収納期間を平均化することが可能となり、カードの再利用を効率的に行なうことができる。
【００５８】
また、カード収納部から搬出されるカードを、搬出用回転部材と共に挟圧しながら、搬出用回転部材の回転の向きと同じ向きに回転駆動する挟圧回転部材を備えた構成のものにおいては、複数枚のカードが同時に搬出されることを防止することが可能となる。
【００５９】
また、カード載置面を挟んで搬出用回転部材と対向し、カード載置面がカードの搬入方向に対して略平行となるときは、カード収納部に収納されたカードを搬出用回転部材に向けて押圧し、カード収納部がカードの搬入方向に対して傾斜したときは、前記カードから離れるカード押圧部材を備えた構成のものにおいては、カード収納部に収納されているカードを、より安定して搬出することが可能となる。
【００６０】
また、１つの駆動源による駆動力を、傾動手段と搬出用回転部材とに伝達する駆動力伝達機構を備えた構成のものにおいては、駆動源を複数設ける場合に比べ装置の製造コストを抑えることが可能となる。
【図面の簡単な説明】
【図１】本発明の一実施形態に係るカード収納装置の構成を示す図
【図２】図１に示すカード収納部の傾き姿勢を変化させた状態を示す図
【図３】図２に示すカード収納装置のＡ方向矢視図
【図４】図２に示すカード収納装置のＢ方向矢視図
【図５】図４に示す２つの歯車列のＣ方向矢視図
【図６】本発明の一実施形態に係る球貸装置の外観斜視図
【符号の説明】
１  カード収納装置
２  カード
３  磁気リードライトユニット
４  カード挿通路
５  中継部材
１０  カード収納部
１１  カード載置面
１２  背面部
１３  前面部
１４  側面部
１５  開口部
２０  支持基部
２１  底面部
２２  側壁部
２３  後壁部
３０  搬出用回転部材
３１〜３３  ローラ
３４  ベルト
３５〜３７  軸
３８  ウォームホイール
４０  電動モータ
４１  回転軸
４２  ウォーム
５０  歯車列
５１〜５３  歯車
５３ａ  大径部
５３ｂ  小径部
５４  軸
５５  ワンウェイクラッチ
６１，６２  軸
６３  揺動アーム
６４  軸
６５  ローラ（カード押圧部材）
６６  付勢バネ
６７  カム
７０  カム（傾動手段）
７１  曲面部
７２  平面部
８０  歯車列
８１〜８３  歯車
８４，８５  軸
８６  ローラ（挟圧回転部材）
１００  球貸装置
１０１  筐体
１０２  紙幣挿入口
１０３  カード挿入口
Ａ，Ｂ，Ｃ  矢線
【図１】
2004272777.tif 000003
【図２】
2004272777.tif 000004
【図３】
2004272777.tif 000005
【図４】
2004272777.tif 000006
【図５】
2004272777.tif 000007
【図６】
2004272777.tif 000008